(57)【要約】【課題】通常の放送番組においては、番組本編の間にコマーシャルメッセージ（ＣＭ）が含まれるため、録画番組視聴時にＣＭ区間をスキップ再生できるように、ＣＭ区間を検出して、ＣＭと本編の境界に自動的にチャプターを作成する機能を備えた記録再生装置がある。従来のＣＭ検出では、映像や音声の変化点を基準としてＣＭを検出するため、番組全編のデジタルデータの内容確認が必要となり、処理に時間を要していた。【解決手段】連続ドラマ等の連続放送番組では、ＣＭ区間挿入時刻等が毎回同様に構成されることが多い。そこで、新たに録画した番組でＣＭ検出を行う際に、過去に同じ連続放送番組においてＣＭ検出を行っていた場合には、その検出結果に基づき、今回のＣＭ検出範囲を限定してＣＭ検出を行う。【選択図】図２
2009252271.tif 000002
【特許請求の範囲】
【請求項１】
シリーズ放送番組に係わるデジタルデータと、該デジタルデータの管理情報とを記録媒体に記録する情報記録装置であって、
シリーズ放送番組に係わるデジタルデータを記録する記録手段と、
デジタルデータからＣＭ放送区間を検出するＣＭ検出手段と、
前記ＣＭ検出手段で検出したＣＭ区間情報を該記録媒体に記録するＣＭ区間記録手段と、
前記記録手段でシリーズ放送番組に係わるデジタルデータを新たに記録する際に、前記ＣＭ区間記録手段で記録された該シリーズ放送番組に係わるＣＭ区間情報を取得する取得手段と、
前記取得手段で取得したＣＭ区間情報のＣＭ区間の前後所定の範囲に限定してＣＭ検出を行うように、前記ＣＭ検出手段を制御する制御手段と
を備えることを特徴とする情報記録装置。
【請求項２】
シリーズ放送番組に係わるデジタルデータと、該デジタルデータの管理情報とを記録媒体に記録する情報記録方法であって、
デジタルデータからＣＭ放送区間を検出する第１のＣＭ検出ステップと、
前記第１のＣＭ検出ステップで検出したＣＭ区間情報を該記録媒体に記録するＣＭ区間記録ステップと、
シリーズ放送番組に係るデジタルデータを新たに記録する際に、前記ＣＭ区間記録ステップで記録された該シリーズ放送番組に係わるＣＭ区間情報を取得する取得ステップと、
前記取得ステップで取得したＣＭ区間情報のＣＭ区間の前後所定の範囲に限定してＣＭ検出を行う第２のＣＭ検出ステップと
を有することを特徴とする情報記録方法。
【発明の詳細な説明】
【技術分野】
【０００１】
本発明は、光ディスク等の記録媒体を利用し、シリーズ放送番組等のデジタルデータを記録する情報処理装置及び情報処理方法に関するものである。
【背景技術】
【０００２】
近年、放送番組等のデジタルデータを、デジタルデータの管理情報とともにＤＶＤ−ＲＡＭ（Ｄｉｇｉｔａｌ  Ｖｅｒｓａｔｉｌｅ  Ｄｉｓｃ−Ｒｅｗｒｉｔａｂｌｅ）やＨＤＤ（ハードディスクドライブ）等のランダムアクセス可能な記録媒体に記録する記録再生装置が普及している。これらの記録再生装置では、ユーザが任意の箇所にチャプターもしくはマーク等と呼ばれる見出しを作成し、お気に入りのシーンを瞬時に頭出ししたり、不要な区間をスキップする等の操作が可能である。
【０００３】
一方、通常の放送番組においては、番組本編の間にコマーシャルメッセージ（ＣＭ）が含まれるため、録画番組視聴時にＣＭ区間をスキップ再生できるように、ＣＭ区間を検出して、ＣＭと本編の境界に自動的にチャプターを作成する機能が提案されている。（特許文献１）
【特許文献１】特開２００１−２３８１７６号公報
【発明の開示】
【発明が解決しようとする課題】
【０００４】
従来のＣＭ検出では、映像や音声の変化点を基準としてＣＭを検出している。したがって、番組全編のデジタルデータの内容確認が必要となり、処理に時間を要していた。
【課題を解決するための手段】
【０００５】
本発明は、上記の課題を解決するためになされたものである。
【０００６】
連続ドラマ、アニメなど、類似した番組構成で複数回放送されるシリーズ放送番組では、ＣＭ挿入位置も毎回類似している。したがって、一度ＣＭを検出したシリーズ放送番組でＣＭ検出を行う際には、前回のＣＭ区間近傍のみでＣＭ検出を行うことで、ＣＭ検出精度は保持しつつ処理時間を短縮することができる。
【０００７】
本発明は、従来の記録装置の構成に加えて、シリーズ放送番組に係わるデジタルデータを記録する記録手段と、デジタルデータからＣＭ区間を検出するＣＭ検出手段と、ＣＭ検出手段で検出したＣＭ区間情報を記録媒体に記録するＣＭ区間記録手段と、ＣＭ区間記録手段で記録されたシリーズ放送番組に係わるＣＭ区間情報を取得する取得手段と、取得手段で取得したＣＭ区間情報のＣＭ区間の前後所定の範囲に限定してＣＭ検出を行うようＣＭ検出手段を制御する制御手段とを備えることを特徴とする情報記録装置である。
【発明の効果】
【０００８】
連続ドラマ、アニメなど、類似した番組構成で複数回放送される番組でＣＭ検出を行う場合に、検出範囲を前回のＣＭ区間の周辺に限定することにより処理時間を短縮できる。
【０００９】
また、検出範囲の限定によりＣＭとは無関係なＣＭ区間候補が除外され、検出精度が向上する。
【発明を実施するための最良の形態】
【００１０】
図１は従来ＣＭ検出機能のない記録装置１０１の構成を示すブロック図である。記録装置１０１は、デジタルデータを記録媒体１００に記録するにあたり、デジタルデータの管理情報作成手段１０２で作成されたデジタルデータの管理情報とともに、記録媒体への記録手段１０３を用いて記録を行う。一方、図２は本発明装置の実施の形態の構成を示すブロック図である。本発明の記録装置２０１は、ＣＭ区間情報を含む管理情報作成手段２０２、記録手段１０３、ＣＭ検出手段２０４、シリーズ番組ＣＭ区間情報取得手段２０５、ＣＭ検出制御手段２０６から構成される。ここで、従来の記録装置１０１と同一の機能を有する部分については、同一符号を付す。また、本発明のＣＭ検出方法にあるため、デジタルデータ管理情報の作成方法、およびデータ記録方法等の詳細に関する説明は省略する。
【００１１】
以降、本発明のＣＭ検出方法おける各構成要素の機能について、記録装置２０１のＣＭ検出フロー（図３）に沿って説明する。
【００１２】
新たに放送番組のＣＭ検出を行う場合、まずは、シリーズ番組ＣＭ区間情報取得手段２０５を用いて、記録媒体１００から、記録対象番組と同じシリーズ番組のＣＭ区間情報の取得を試みる。ここで、記録媒体１００は、記録装置本体内に固定されているハードディスクドライブやメモリ等の記憶媒体に限らず、ＤＶＤ−ＲＡＭやＳＤカードに代表されるリムーバブルメディア等でもよい。記録対象番組と同じシリーズ番組であると判断する手段として、電子番組表（ＥＰＧ）等から取得した番組情報を利用する方法、放送曜日・放送時間帯等が同じであることを利用する方法等が考えられるが、ここではその手段について限定はしない。
【００１３】
次に、同一シリーズ番組のＣＭ区間情報取得結果に応じて、今回のＣＭ検出におけるＣＭ検出範囲を決定する。ＣＭ区間情報取得結果でＣＭ区間情報が存在した場合には、図４のように、ＣＭ区間情報に対して少し広めにＣＭ検出範囲を設定する。これは、ＣＭ区間の位置が、同一のシリーズ番組内においても、番組の放送内容によって若干変化する可能性があるためである。ＣＭ区間情報取得結果でＣＭ区間情報が存在しなかった場合には、放送番組の全編をＣＭ検出区間と定める。
【００１４】
最後に、定められたＣＭ検出範囲に対してＣＭ検出を行う。ＣＭを検出する手段として、映像や音声の区切れを利用して検出する方法等が挙げられるが、ここではその手段については限定しない。検出されたＣＭ区間は、ＣＭ区間情報を含む管理情報作成手段によりデジタルデータの管理情報に埋め込まれ、記録手段１０３により記録媒体１００に記録される。
【００１５】
なお、放送番組のデジタルデータを記録媒体に記録しながらＣＭ検出を行う場合には、記録手段１０３は管理情報とデジタルデータを並行して記録媒体１００に記録するが、既に記録媒体に記録されている放送番組に対してＣＭ検出を行う際には、放送番組のデジタルデータそのものを改めて記録媒体に記録することはせず、管理情報作成手段２０２で作成されたＣＭ区間情報を含む管理情報のみを、記録手段１０３により記録媒体に記録する。
【００１６】
以上により、シリーズ放送番組のＣＭ検出を行う際には、検出範囲を限定してＣＭ検出の処理量を減らすことで、従来のＣＭ検出方法と比べ、処理時間を短縮することが可能となる。
【産業上の利用可能性】
【００１７】
本発明にかかる情報記録装置及び情報記録装置方法は、ＣＭ検出を行う手段として、デジタルデータそのものに加えて、デジタルデータの管理情報を記録媒体に記録する方法を用いている機器全般に適用することが可能である。特に、ハードウェアリソース等の制限で記録時に並行してＣＭ検出を行えなかったデジタルデータや、リムーバブルメディアに記録され外部から持ち込まれたデジタルデータ等の、既に記録媒体に記録されているデジタルデータに対してＣＭ検出を行う際に有効である。
【図面の簡単な説明】
【００１８】
【図１】従来の記録装置の構成を示すブロック図
【図２】本発明の記録装置の構成を示すブロック図
【図３】本発明の記録装置の動作を示すフローチャート
【図４】ＣＭ検出制御手段が定めるＣＭ検出範囲を表した図
【符号の説明】
【００１９】
１００    記録媒体
１０１    従来の記録装置
１０２    管理情報作成手段
１０３    記録手段
２０１    本発明の記録装置
２０２    ＣＭ区間情報を含む管理情報作成手段
２０４    ＣＭ検出手段
２０５    シリーズ番組ＣＭ区間情報取得手段
２０６    ＣＭ検出制御手段
【図１】
2009252271.tif 000003
【図２】
2009252271.tif 000004
【図３】
2009252271.tif 000005
【図４】
2009252271.tif 000006